(57)【特許請求の範囲】
【請求項１】
洋風便器の上面に設置される本体と、該本体から側方に張り出す袖部と、該袖部の上面に設けられた、該便器の前後方向に長いスイッチパネルと、該スイッチパネルに設けられたボタンと、該スイッチパネルのボタンを操作することによって温水噴出を行う洗浄ノズルとを有する温水洗浄装置であって、
袖部を本体の右方に張り出させるＲ型と、左方に張り出させるＬ型との２タイプが存在する温水洗浄装置において、
該ボタンの下方に配置されたスイッチ要素が、該Ｒ型温水洗浄装置とＬ型温水洗浄装置とで同一である基板の左右方向のほぼ中心線上に配置されていることを特徴とする温水洗浄装置。
【請求項２】
請求項１において、該ボタンがスイッチパネルの左右方向のほぼ中心線上に配置されていることを特徴とする温水洗浄装置。
【請求項３】
請求項１又は２において、該スイッチパネルにランプが設けられており、該ランプの下方に配置されたＬＥＤが基板の左右方向のほぼ中心線上に配置されていることを特徴とする温水洗浄装置。
【請求項４】
請求項３において、該ランプがスイッチパネルの左右方向のほぼ中心線上に配置されていることを特徴とする温水洗浄装置。
【請求項５】
請求項１ないし４のいずれか１項において、該スイッチパネルに洗浄強さ調節ダイヤルが設けられており、該洗浄強さ調節ダイヤルの下方に配置されたボリュームが基板の左右方向のほぼ中心線上に配置されていることを特徴とする温水洗浄装置。
【請求項６】
請求項５において、該洗浄強さ調節ダイヤルがスイッチパネルの左右方向のほぼ中心線上に配置されていることを特徴とする温水洗浄装置。
【発明の詳細な説明】
【０００１】
【発明の属する技術分野】
本発明は、洋風便器に設置され、人体の臀部に向ってノズルから温水を噴出させて洗浄を行う温水洗浄装置（衛生洗浄装置、局部洗浄装置とも称されることがある。）に関する。詳しくはスイッチパネルの構成を改良した温水洗浄装置に関する。
【０００２】
【従来の技術】
温水洗浄装置は、周知の通り温水タンクあるいは給湯管などの温水源からの温水をポンプ又は給湯水圧を利用して洗浄ノズルに導き、該洗浄ノズル先端の噴出口から上方ないし斜め上方に噴出させるよう構成されている。
【０００３】
従来の温水洗浄装置の一例（特開平１１−１８１８６０号公報）について図２〜５を参照して説明する。この温水洗浄装置１は、温水洗浄手段６と温風乾燥手段（図示略）とを有する本体１０と、本体１０から張り出す袖部１０１に設けた本体スイッチパネル２よりなる。
【０００４】
上記各手段は本体スイッチパネル２により操作できるように構成してある。上記本体１０は、洗浄ノズル６１，６２等よりなる温水洗浄手段６、温風乾燥手段を有している。また本体１０は、便座８１、便蓋８２を備え、陶器製便器８３の上方に配置してある。
【０００５】
スイッチパネル２は、図３に示すごとく、肛門洗浄、ビデ洗浄、温風乾燥等の作動をストップさせるストップボタン２０、肛門洗浄用操作ボタン２１、ビデ洗浄用操作ボタン２２、温風を吹き出させるドライボタン２３が配設されている。
【０００６】
また、洗浄の広がりを調整するためのワイド洗浄入／切ボタン２４、洗浄位置前進ボタン２５、その後退ボタン２６が配設されている。また、洗浄強さを調整するダイヤル２８、便座の温度の高さを調整するための便座ボタン２７、シャワー等の水温を調整する温水ボタン３０が配置されている。
【０００７】
図４は図２のＡ−Ａ線の断面図、図５は図４の操作面部分を拡大したものである。符号１０１ａ’は袖部１０１の上半分ハウジングを示し、上半部ハウジング１０１ａ’の下側には、絶縁基板３６を支持し、該絶縁基板３６に実装された各スイッチ要素３７の可動部３７ａを上半部ハウジング１０１ａ’の内壁に対面させた基板ホルダ３１１が配設されている。基板ホルダ３１１は、上部材３１１ａと下部材３１１ｂとが重ね合わされたものである。上部材３１１ａと下部材３１１ｂとの間にはスプリング３１２が介在され、上部材３１１ａは、スプリング３１２の力によって上半部ハウジング１０１ａ’の内壁に当接されている。絶縁基板３６は、上部材３１１ａと下部材３１１ｂとの間に介在され、上部材３１１ａにビス３１３によって固定され、かつ、上部材３１１ａによって各スイッチ要素３７も支持されている。そして、下部材３１１ｂは、例えば袖部１０１の下半部ハウジングから突出されたボス３１４に支持されている。
【０００８】
スイッチ要素３７の直上にキートップ３８が配置されると共に、該キートップ３８を窓３１ｂに封入すべく上半部ハウジング１０１ａ’の上面に接着等の手段で接合された樹脂３９とが配置されている。樹脂３９は操作装置の操作面をなし、操作パネル及び文字板を兼ねた操作銘板である。窓３１ｂを覆う樹脂３９の文字部分３９ａは、所謂エンボス加工（膨らみをもたせる加工）され、キートップ３８を容易に押圧できるようになっている。スイッチ要素３７は、押圧されたキートップ３８に連動される可動部３７ａを有し、可動部３７ａが突没されることでスイッチング作用する。更に、絶縁基板３６は図外の制御装置と接続され、人体局部洗浄装置の各機能を操作可能に構成されている。
【０００９】
樹脂３９の上から指等によりキートップ３８を押圧すると、可動部３７ａが連動してスイッチ要素３７を動作させ、対応する機構を操作できることになる。なお、図３の操作面を構成する文字部分４０ｂの文字等は長期使用による文字消えを回避するため、樹脂３９の裏面に印刷層４０ａの手段によって付与されている。このため樹脂３９は透明素材が用いられる。
【００１０】
【発明が解決しようとする課題】
上記のようにスイッチパネル２を本体１０から側方に張り出す袖部１０１に設けたタイプの温水洗浄装置においては、この袖部１０１を図２の通り本体１０の右方に張り出させるＲ型の場合と、図６のように左方に張り出させるＬ型の場合とがある。
【００１１】
この場合、袖部１０１内の基板３６はＲ型、Ｌ型の場合とで別々のものを用いる必要がある。
【００１２】
即ち、基板３６上の各スイッチ要素３７はそれぞれ各ボタン２０〜２７，３０の下方に配置されている。Ｌ型用のスイッチパネルはＲ型用スイッチパネルと左右対称の形状及びスイッチ配列パターンとする必要があるから、図３のＲ型用のスイッチパネル２の代わりにＬ型用のスイッチパネルを用いるときには、基板としても基板３６と左右対称にスイッチ要素を配列したものを採用する必要がある。
【００１３】
本発明は、このような不便を無くし、Ｒ型用基板とＬ型用基板とを共用できる温水洗浄装置を提供することを目的とする。
【００１４】
【課題を解決するための手段】
本発明の温水洗浄装置は、洋風便器の上面に設置される本体と、該本体から側方に張り出す袖部と、該袖部の上面に設けられた、該便器の前後方向に長いスイッチパネルと、該スイッチパネルに設けられたボタンと、該スイッチパネルのボタンを操作することによって温水噴出を行う洗浄ノズルとを有する温水洗浄装置であって、袖部を本体の右方に張り出させるＲ型と、左方に張り出させるＬ型との２タイプが存在する温水洗浄装置において、該ボタンの下方に配置されたスイッチ要素が、該Ｒ型温水洗浄装置とＬ型温水洗浄装置とで同一である基板の左右方向のほぼ中心線上に配置されていることを特徴とするものである。
【００１５】
かかる温水洗浄装置にあっては、左側及び右側の袖部に対し共通の基板を用いることができる。本発明では、表示用のランプや、洗浄強さ調節ダイヤルの下方に配置されたＬＥＤやボリュームもこのほぼ中心線上に配置するのが好ましい。
【００１６】
【発明の実施の形態】
図１は実施の形態に係る温水洗浄装置のスイッチパネルを示す平面図であり、右側はＲ型用スイッチパネル、左側はＬ型用スイッチパネルである。
【００１７】
このスイッチパネル２Ｌ，２Ｒはいずれもストップボタン２０、肛門洗浄用操作ボタン２１、ビデ洗浄用操作ボタン２２、便座温度表示ランプ２ａ，２ｂ及び洗浄強さ調整ダイヤル２８を備えている。これらのボタン２０、２１、２２、ランプ２ａ，２ｂ及びダイヤル２８はいずれもそれらの中心がスイッチパネル２Ｌ，２Ｒのほぼ中心線Ｃ上に配置されている。なお、「ほぼ中心線上」とは、中心線から１０ｍｍ以内好ましくは５ｍｍ以内の範囲をいうものとする。
【００１８】
このように構成されたスイッチパネル２Ｌ，２Ｒの場合、ボタン２０〜２２、ランプ２ａ，２ｂ、ダイヤル２８の下方に配置されたスイッチ要素、ＬＥＤ及びボリュームが基板の中心線上に配置されるから、基板としてはＬ型用及びＲ型用とで同一のものを用いることができる。
【００１９】
従って、スイッチパネルだけ別々のものを製作するだけでＬ型温水洗浄装置及びＲ型温水洗浄装置に対応できることになり、かなりのコストダウンを図ることができる。
【００２０】
上記実施の形態は本発明の一例であって、本発明は図示以外のボタンやランプを備えてもよい。
【００２１】
【発明の効果】
以上の通り、本発明の温水洗浄装置は袖部内に配置される回路基板をＬ型、Ｒ型とで共用でき、コストダウンが実現される。
【図面の簡単な説明】
【図１】  実施の形態に係る温水洗浄装置のスイッチパネルを示す平面図である。
【図２】  従来のＲ型の温水洗浄装置付き便器の斜視図である。
【図３】  従来のスイッチパネルの平面図である。
【図４】  図２のＡ−Ａ線に沿う断面図である。
【図５】  図４の操作面部分の拡大図である。
【図６】  従来のＬ型温水洗浄装置を備えた温水洗浄装置の斜視図である。
【符号の説明】
１  温水洗浄装置
２，２Ｌ，２Ｒ  スイッチパネル
２ａ，２ｂ  ランプ
１０  本体
２０  ストップボタン
２１，２２，２３，２４，２５，２６  ボタン
２８  ダイヤル
【図１】
0003707310.tif 000002
【図２】
0003707310.tif 000003
【図３】
0003707310.tif 000004
【図４】
0003707310.tif 000005
【図５】
0003707310.tif 000006
【図６】
0003707310.tif 000007